(57)【要約】  【解決手段】  電気コネクタの実施例は、電気コネクタを通って、かつその電気コネクタの周りで空気の循環を促進する特徴を有している。この空気は、その電気コネクタの電力接点を冷却することができ、それによって、その電力接点が、そうでなければ可能であるよりも高い電流で作動することを可能にしている。その接点は、分極化されて、ハウジングにおける接点の不適当な、または不完全な挿入を防ぐことを支援する。【選択図】  図１７
2009540527.tif 000002
【特許請求の範囲】
【請求項１】
第１の電気コネクタであって、空洞を画定する電気絶縁ハウジングであってそのハウジングはそこに形成され前記第１の電気コネクタの周りの周囲との流体伝達内に前記空洞を置く孔を有するもの、および前記空洞内に位置された組合う部分を有する電力接点を有するものと、
前記第１の電気コネクタと組合う第２の電気コネクタであって、この第２の電気コネクタは空洞を画定する電気絶縁ハウジングであり、この第２の電気コネクタの前記ハウジングはそこに形成され前記第２の電気コネクタの周りの周囲との流体伝達内に前記第２の電気コネクタの空洞を置く孔を有するものと、前記第２の電気コネクタのハウジングの空洞内に位置された組合う部分を有する電力接点とを有し、前記第１および第２の電気コネクタが組合うときに、第１および第２の電気コネクタのハウジング内に形成された前記孔は、一部が重なり合う、コネクタ装置。
【請求項２】
この電気コネクタは、電力接点とこの電力接点を受入れる電気絶縁ハウジングとを有するものであって、孔が前記ハウジング内に形成され、この孔は、それによって電力接点によって加熱された空気がその孔経由で電力接点を出ることができる電力接点の組合う部分と整列され、凹部が、ハウジング内に形成され、この凹部は、前記基板に面し、かつ、この凹部と基板は、電気コネクタが基板に設置されるときに、ハウジングの側部から延びる通路を画定し、さらに、電力接点の部分が前記凹部を通して延び、それによって、電気コネクタの周りの周囲からの空気が、前記ハウジングと基板との間に、さらに電力接点のうえに通過することができる、基板に設置するための電気コネクタ。
【請求項３】
タブを有する第１の電力接点と、タブを有する第２の電力接点と、さらに、それぞれ第１および第２の電力接点を受入れる、そこに形成された第１および第２の空洞を有するハウジングであって、第１の電力接点が第２の空洞内に部分的に挿入され、それによって第２の空洞における第１の電力接点の設置を防止するときに、前記第１の電力接点のタブは前記ハウジングと干渉し、さらに、前記第２の電力接点が前記第１の空洞内に部分的に挿入され、それによって前記第１の空洞における第２の電力接点の設置を防止するときに、前記第２の電力接点のタブは前記ハウジングと干渉するもの、とを有する電気コネクタ。
【請求項４】
第１の空洞は、前記第１の電力接点のタブを受入れる窓を有し、さらに、前記第２の空洞は、第２の電力接点のタブを受入れる窓を有している請求項３記載の電気コネクタ。
【請求項５】
前記第２の電力接点が前記第１の空洞内に部分的に挿入されるときには、前記第１の空洞の窓および第２の電力接点のタブは、誤って整列され、また、前記第１の電力接点が前記第２の空洞内に部分的に挿入されるときには、前記第２の空洞の窓および前記第１の電力接点のタブは、誤って整列される、請求項４記載の電気コネクタ。
【請求項６】
前記第１の電力接点は、第１および第２の半片を有しており、この第１の半片は、それに形成された第１および第２の突出部を有し、また第２の半片は、それに形成された第１および第２の孔を有し、その第１の半片が第２の半片に重ね合わされるときに、それぞれ、突出部の関連する１つを受入れ、前記突出部は、第１の距離だけ前記第１の半片から離れて置かれ、また、前記第２の電力接点は、第１および第２の半片を有し、前記第２の電力接点の第１の半片は、それに形成された第１および第２の突出部を有し、また、前記第２の電力接点の第２の半片は、それに形成された第１および第２の孔を有し、前記第２の電力接点の第１の半片が第２の電力接点の第２の半片に対して重ね合わされるときに、それぞれ、第２の電力接点の突出部の関連する１つを受入れる、前記第２の電力接点の第１の半片に形成された突出部は、前記第１の距離とは異なる第２の距離だけ離れて置かれる、請求項３記載の電気コネクタ。
【発明の詳細な説明】
【技術分野】
【０００１】
この発明は、電力を伝送するための電気コネクタに関する。
【背景技術】
【０００２】
一般に、電子装置の動作電流を増加させることは、その装置がそうでなければ可能であるよりも低い電圧で作動することを可能にする。したがって、電子装置のメーカーは、比較的高い定格電流を有する電力接点を要請するか、または、要求することがある。その結果、作動中に電力接点が経験した温度上昇を最小限にすることが望ましい。
【０００３】
コネクタハウジング内に接点を組立てることは、さらに問題となり得る。接点は、不適切な空洞内に挿入され得、または、空洞内に単に部分的に挿入され得る。
【発明の開示】
【０００４】
電気コネクタの実施例は、この電気コネクタを通って、かつその周りで空気の循環を促進する特徴を有する。この空気は、その電気コネクタの電力接点を冷却することができ、それによって、その電力接点が、そうでなければ可能であるよりも高い電流で作動することを可能にしている。特徴は、さらにハウジング内への接点の誤挿入または部分的な挿入を防止するのを支援するために有している。
【０００５】
コネクタ装置の実施例は、空洞を画定する電気絶縁ハウジングを有する第１の電気コネクタを有する。このハウジングは、その第１の電気コネクタの周りの周囲との流体伝達内（in fluid communication with the environment）にその空洞を置く、そこに形成された孔を有する。第１の電気コネクタは、さらに空洞内に位置された組合う部分を備えた電力接点を有する。
【０００６】
このコネクタ装置は、さらに第１の電気コネクタと組合う第２の電気コネクタを有する。第２の電気コネクタは、空洞を画定する電気絶縁ハウジングを有する。第２の電気コネクタのハウジングは、また、この第２の電気コネクタの周りでその周囲との流体的伝達内にその第２の電気コネクタの空洞を置いてそこに形成された孔を有する。この第２の電気コネクタは、さらに、この第２の電気コネクタのハウジングの空洞内に位置する組合う部分を備えた電力接点を有する。
【０００７】
第１および第２の電気コネクタが組合うときには、第１および第２の電気コネクタのハウジング内に形成された孔は、部分的に一致する（overlap）。
【０００８】
基板に設置するための電気コネクタの実施例は、電力接点およびこの電力接点を受入れる電気絶縁ハウジングを有する。孔が、そのハウジングに形成される。この孔は、電力接点によって加熱された空気が、孔を通って電力接点を出ることができる電力接点の組合う部分と整列される。凹部が、ハウジングに形成される。この凹部は、基板に面しており、さらに、凹部と基板とは、電気コネクタが基板に設置されるときに、ハウジングの側部から延びる通路を画定する。電力接点の部分は、凹部を通して延び、それによって電気コネクタの周りの周囲からの空気が、ハウジングと基板との間に、しかも電力接点の上を越えて通ることができる。
【０００９】
電気コネクタの実施例は、電気絶縁ハウジング、および、このハウジングに設置され、組合う部分を有する電力接点を有する。このハウジングは、そこに形成され、かつ、電力接点によって加熱された空気がその孔を通って電力接点を出ることができる接点の組合う部分と整列する孔を有する。
【００１０】
電気コネクタの実施例は、ハウジングと、２つの異なるタイプの電力接点とを有する。この電力接点は、電力接点がハウジングに不適切に設置される可能性を縮小するか、または除去する、分極化する（polarization）特徴を有する。
【００１１】
電気コネクタの実施例は、タブを有する第１の電力接点と、タブを有する第２の電力接点と、その中にそれぞれ第１および第２の電力接点を受入れるように形成された第１および第２の空洞を有するハウジングとを有する。第１の電力接点のタブは、第２の空洞における第１の電力接点の設置を防止することによって、第１の電力接点が第２の空洞内に部分的に挿入されるときに、第１の電力接点のタブは、ハウジングと干渉するように（interferedly）接触する。第１の空洞における第２の電力接点の設置を防止することによって、第２の電力接点が、第１の空洞内に部分的に挿入されるときに、第２の電力接点のタブは、ハウジングと干渉するように接触する。
【発明を実施するための最良の形態】
【００１２】
図１〜１２は、コプラナーコネクタ装置１０の一実施例を描いている。その図は、そこに描かれた共通座標系（common coordinate system）１１に参照される。コネクタ装置１０は、ヘッダーコネクタ１２と、このヘッダーコネクタ１２と組合うレセプタクルコネクタ１４とを有する。このヘッダーコネクタ１２は、印刷回路基板（ＰＣＢ）１６のような基板に設置することができ、また、そのレセプタクルコネクタ１４は、ＰＣＢ１８のような基板に設置することができる。ヘッダーコネクタ１２およびレセプタクルコネクタ１４は、組合ったときに、ＰＣＢ１６とＰＣＢ１８とを電気的に接続する。
【００１３】
ヘッダーコネクタ１２は、電気絶縁ハウジング２２と、このハウジング２２に設置される複数の電力接点２４とを有する。図１１に示されるように、各電力接点２４は、第１の半片（ｈａｌｆ）２６と第２の半片２８とを有する。この第１の半片２６は、プレート状の本体部材３０ａと、この本体部材３０ａの下方端に隣接するほぼＳ形部分３１とを有する。第１の半片２６は、さらに、このＳ形部分３１の下方端からそれぞれ延びる複数の端子ピン３２を有する。
【００１４】
第１の半片２６は、さらに、本体部分３０ａの前方端からそれぞれ延びる３つの、角度のある接点ビーム３４ａと２つのほぼ直線の接点ビーム３６ａとを有する。この角度のある接点ビーム３４ａおよび直線の接点ビーム３６ａは、互い違い方式（staggered manner）で本体部材３０ａに配置される、換言すれば、各直線の接点ビーム３６ａは、角度のある接点ビーム３４ａのうちの２つに隣接して配置されている。
【００１５】
「上方の」、「下方の」、「前方の」、「後方の」、「頂」」、「底」、「上部の」、「下部の」などのような、方向性の用語は、図１に描かれた部品の方向に関して使用される。これらの用語は、代表的な目的にのみ使用され、かつ、付属の請求項の範囲を制限するようには意図されていない。
【００１６】
各電力接点２４の第２の半片２８は、本体部材３０ｂの下方端に隣接する、プレート状の本体部材３０ｂと他のＳ形部分３１とを有している。この第２の半片２８は、さらにＳ形部分３１の下方端からそれぞれ延びる複数の端子ピン３２を有している。
【００１７】
第２の半片２８は、さらに、本体部材３０ｂの前方端からそれぞれ延びる３つの角度のある接点ビーム３４ｂと２つのほぼ直線の接点ビーム３６ｂとを有する。図１１に示されるように、角度のある接点ビーム３４ｂと直線の接点ビーム３６ｂとは、互い違い方式で本体部材３０ｂに配置される。
【００１８】
本体部材３０ａ、３０ｂは、図１１に示されるように、相互に対して重ね合わせられ、その結果、各角度のある接点ビーム３４ａは対面し、かつ、関連する角度のある接点ビーム３４ｂから離れて間隔をもって配置され、また、各直線の接点ビーム３６ａは、関連する接点ビーム３６ｂに対面し、かつ当接する。本体部材３０ａ、３０ｂが、重ね合わされるときに、Ｓ形部分３１は、第１の半片２６の端子ピン３２と第２の半片２８の端子ピン３２との間のオフセットを提供する。    
各本体部材３０ａ、３０ｂは、その上部後方の角部に位置されたタブ４２を有することができる。図１１に描かれるように、タブ４２は外方に角度を有する。各タブ４２は、電力接点２４がその後方端からハウジング２２内に挿入されるとともに、ハウジング２２における関連するリップ（図示せず）と接触することができる。このタブ４２とリップとの間の接触は、タブ４２を内方に偏向させる。タブ４２は、電力接点２４がハウジング２２内にその完全に挿入された位置に接近するので、そのリップを取り除く（clear）。一旦タブ４２がリップを取り除くと、タブ４２の弾性は、そのタブ４２がその元の位置に対して、外方に弾むようにされる。タブ４２とリップとの間の干渉は、ハウジング２２から後退する(backing up)から、電力接点２４を阻止する(discourage)ことができる。
【００１９】
電力接点２４の特定の詳細は、代表的な目的のためだけに開示されている。この発明の本質は、上記に相互参照された関連する出願に記述された電力接点を有する他のタイプの電力接点を有するコネクタに適用することができる。
【００２０】
図１〜４に示されるように、ハウジング２２は、主本体４３と隣接する組合う部分４４を有する。主本体４３は、図１および３に示されるように、そこに形成された複数の空洞４５を有する。各空洞４５は、関連する電力接点２４の本体部材３０ａ、３０ｂを受入れる。空洞４５は、それぞれ、ハウジング２２のリブ４６によって部分的に画定される。このリブ４６は、対向する組内に配置される。リブ４６は、電力接点２４が空洞４５内に摺動されるので、関連する電力接点２４の本体部材３０ａまたは３０ｂと接触する。リブ４６と本体部材３０ａ、３０ｂとの間の干渉は、本体部材３０ａ、３０ｂを一緒に押し、かつ、空洞４５内に電力接点２４を保持するのを助ける。
【００２１】
図１および３に描かれているように、リブ４６は、その間に溝４８を画定する。この溝４８は、以下に議論されるように、ヘッダーコネクタ１２の作動中に電力接点２４からの熱伝達を促進する。
【００２２】
ハウジング２２の主本体４３は、前方壁５２を有する。この前方壁５２は、図４において、部分的に描かれている。空洞４５は、前方壁５２を介して延び、その結果、電力接点２４の、角度のある接点ビーム３４ａ、３４ｂおよび直線の接点ビーム３６ａ、３６ｂは、電力接点２４がその後方端からハウジング２２内に挿入されるときに、前方壁５２を通過することができる。
【００２３】
図１−４および９に示されるように、ハウジング２２の組合う部分４４は、頂部５６、底部５８、および側部６０、６２を有する。図４に描かれているように、頂部５６、底部５８、側部６０、６２、および前壁５２は、組合う区域または空洞６４を画定する。この空洞６４は、主本体４３の空洞４５に隣接する。図１〜４および９に示されるように、ヘッダーコネクタ１２がそれに設置されるときに、組合う部分４４は、ＰＣＢ１６の前方端に突き出る（overhang）。
【００２４】
電力接点２４の角度のある接点ビーム３４ａ、３４ｂおよび直線の接点ビーム３６ａ、３６ｂは、図４に描かれているように、空洞６４内に延びる。以下に議論されるように、ヘッダーとレセプタクルコネクタ１２、１４が組合うときに、空洞６４は、レセプタクルコネクタ１４の部分を受入れる。
【００２５】
ヘッダーコネクタ１２は、信号接点７０のアレイ６８を有することができる。図４に示されるように、アレイ６８は、電力接点２４の一側面に位置することができる。アレイ７０の部分は、図３に示されるように、ハウジング２２に形成された空洞７１内に位置することができる。このアレイ７０は、ヘッダーコネクタ１２の他の実施例において、電力接点２４の間で、ヘッダーコネクタ１２の中心に、またはその中心の近くに位置することができる。その他の別の実施例は、任意の信号接点の使用をやめることができる。
【００２６】
図１−４に示されるように、ハウジング２２の主本体４３は、頂部７５、底部７６、および側部７７、７８を有する。図１、３、４、５および７に示されるように、複数の細長のスロット、または孔８０は、好ましくは、頂部７５に形成される。各孔８０は、関連する電力接点２４の本体部分３０ａ、３０ｂの上に位置する。この孔８０は、横方向に、または、ハウジング２２の「ｚ」方向に延びる。
【００２７】
孔８０は、それぞれ、関連する空洞４５に隣接し、それによってヘッダーコネクタ１２の周りの周囲との流体伝達内に空洞４５を置く。好ましくは、各孔８０の幅、または「ｘ」寸法は、関連する電力接点２４の本体部分３０ａ、３０ｂの結合した幅、または、「ｘ」寸法と同じ大きさか、または、より大きい。
【００２８】
図１、３、４、５および７に示されるように、追加の孔８２が、好ましくは、その後方端に近接して、主本体４３の頂部７５に形成される。図５および７に示されるように、各孔８２は、関連する空洞４５に隣接し、関連する電力接点２４のタブ４２の上に位置する。孔８２は、ヘッダーコネクタ１２の周りの周囲との流体伝達内に空洞４５の後方端を置く。好ましくは、各孔８２の幅、または、「ｘ」寸法は、関連する電力接点２４のタブ４２の先端（tip-to-tip）幅と等しいか、または、より大きい。
【００２９】
図１および３−８に示されるように、孔８４は、組合う部分４４の頂部５６に形成される。この孔８４は、空洞６４に隣接する。各孔８４は、関連する電力接点２４の角度のある接点ビーム３４ａ、３４ｂ、および直線の接点ビーム３６ａ、３６ｂの上に位置する、換言すれば、図６および８に示されたように、各孔８４は、関連する電力接点２４の角度のある接点ビーム３４ａ、３４ｂ、および直線の接点ビーム３６ａ、３６ｂと、「ｙ」方向に整列される。
【００３０】
孔８４は、ヘッダーコネクタ１２の周りの周囲との流体伝達内に空洞６４を置く。好ましくは、図６および８に示されるように、各孔８４の幅、または「ｘ」寸法は、関連する電力接点２４の直線の接点ビーム３６ａ、３６ｂの結合した幅と同じか、より大きい。
【００３１】
図９および１０に示されるように、孔８６は、好ましくは、組合う部分４４の底部５８に形成される。この孔８６は、空洞６４に隣接し、かつ、孔８４とほぼ同一である。各孔８６は、関連する電力接点２４の角度のある接点ビーム３４ａ、３４ｂ、および直線の接点ビーム３６ａ、３６ｂの下に位置する、換言すれば、図１０に示されるように、各孔８６は、関連する電力接点２４の角度のある接点ビーム３４ａ、３４ｂ、および直線の接点ビーム３６ａと「ｙ」方向に整列される。孔８６は、ヘッダーコネクタ１２の周りの周囲と流体伝達内に空洞６４を置く。
【００３２】
図１および２に示されるように、凹部９２は、好ましくは、ハウジング２２の主本体４３の底部７６に形成される。凹部９２は、側部７８と空洞７１との間で、ほぼ縦に、または、ハウジング２２の「ｘ」方向に延びる。図３および４に示されるように、他の凹部９４は、好ましくは、側部７７と空洞７１との間で、底部７６に形成される。この凹部９４は、「ｘ」方向に凹部９２とほぼ整列される。
【００３３】
凹部９２および９４は、ヘッダーコネクタ１２がそれに設置されるときには、それぞれＰＣＢ１６に面する。この凹部９２、９４、空洞７１、およびＰＣＢ１６は、ハウジング２２の全長、または「ｘ」寸法を横切って延びる通路９８を画定する。
【００３４】
レセプタクルコネクタ１４は、電気絶縁ハウジング１２２と、そのハウジング１２２に設置された複数の電力接点１２４とを有する。電力接点１２４は、ヘッダーコネクタ１２の電力接点２４と組合うように構成される。
【００３５】
図１２に示されるように、各電力接点１２４は、第１の半片１２６および第２の半片１２８を有する。電力接点１２４は、第１および第２の半片１２６、１２８が、それぞれ、２つの角度のある接点ビーム３４ａと、３つのほぼ直線の接点ビーム３６ａとを有することを除いて、ほぼ、電力接点２４と同一である。電力接点２４のものとほぼ同一の電力接点１２４の部分は、同一の参照数字によって図中に表示されている。
【００３６】
第１の半片１２６の角度のある接点ビーム３４ａと直線の接点ビーム３６ａとは、互い違い方式で、第１の半片１２６の本体部材３０ａに配置される、換言すれば、図１２に示されるように、各角度のある接点ビーム３６ａは、２つの直線の接点ビーム３４ａに隣接している角度のある接点ビーム３４ｂと直線の接点ビーム３６ｂとは、互い違い方式で、第２の半片１２８の本体部材３０ｂに配置される。
【００３７】
レセプタクルコネクタ１４のハウジング１２２は、図３および４に示されるように、主本体１４３および隣接する組合う部分１４４を有する。ヘッダーとレセプタクルコネクタ１２、１４とが組合うときに、組合う部分１４４は、以下に議論されるように、ヘッダーコネクタ１２の空洞６４内に受入れられる。
【００３８】
ハウジング１２２は、図４に示されるように、そこに形成された複数の空洞１４５を有する。空洞１４５は、それぞれ、ハウジング１２２の前方端と後方端との間で、主本体１４３および組合う部分１４４を介して延びる。各空洞１４５は、本体部材３０ａ、３０ｂ、角度のある接点ビーム３４ａ、３４ｂ、および関連する電力接点１２４の直線の接点ビーム３６ａ、３６ｂを受入れる。各電力接点１２４の角度のある接点ビーム３４ａ、３４ｂと直線の接点ビーム３６ａ、３６ｂとは、電力接点１２４がハウジング１２２に挿入されるときに、組合う部分１４４内にある。
【００３９】
各空洞１４５は、ハウジング１２２のリブ１４６によって部分的に画定される。このリブ１４６は、図４に示されるように、対向する組に配置される。電力接点１２４が空洞１４５内に摺動するので、リブ１４６は、関連する電力接点１２４の本体部材３０ａまたは３０ｂと接触する。リブ１４６と本体部材３０ａ、３０ｂとの間の干渉は、本体部材３０ａ、３０ｂを押し、さらに、空洞１４５内に電力接点１２４を保持するのを助ける。
【００４０】
リブ１４６は、溝１４８をその間に画定する。この溝１４８は、以下に議論されるように、レセプタクルコネクタ１４の動作中に電力接点１２４からの熱伝達を促進する。
【００４１】
図３に示されるように、レセプタクルコネクタ１４は、信号接点１７０のアレイ１６８を有することができる。図３に示されるように、このアレイ１６８は、電力接点１２４の一側面に位置することができる。このアレイ１６８の部分は、図４に示されるように、ハウジング１２２に形成された空洞１７１内に位置することができる。アレイ１６８は、レセプタクルコネクタ１４の他の実施例における電力接点１２４の間で、レセプタクルコネクタ１４の中心に、またはその中心の近くに位置することができる。別の他の実施例は、任意の信号接点１７０の使用を止めることができる。
【００４２】
図１−４に示されるように、ハウジング１２２の主本体１４３は、頂部１７５、底部１７６、および側部１７７、１７８を有している。図１、３、４、５および７に示されるように、複数の細長のスロット、または孔１８０は、好ましくは、頂部１７５内に形成される。各孔１８０は、関連する電力接点１２４の本体部分３０ａ、３０ｂの上に位置する。孔１８０は、横に、またはハウジング１２４の「ｚ」方向に延びる。孔１８０は、それぞれ、関連する空洞１４５に隣接し、さらにそれによってレセプタクルコネクタ１４の周りの周囲との流動性の流通状態に空洞１４５を置く。各孔１８０の幅、または「ｘ」寸法は、好ましくは、関連する電力接点１２４の本体部分３０ａ、３０ｂの結合した幅、または、「ｘ」寸法と同じ大きさか、またはそれより大きい。
【００４３】
追加の孔１８２は、好ましくは、その後方端に接近して、主本体１４３の頂部１７５に形成される。図５および７に示されるように、各孔１８２は、関連する空洞１４５に隣接し、かつ関連する電力接点１２４のタブ４２の上に位置する。孔１８２は、レセプタクルコネクタ１４の周りの周囲との流動的流通状態に空洞１４５の後方端を置く。各孔１８２の幅、または、「ｘ」寸法は、好ましくは、図５および７に示されるように、関連する電力接点１２４のタブ４２の先端幅とほぼ同じか、またはより大きい。
【００４４】
図３および４に示されるように、レセプタクルコネクタ１４が、それに設置されるときに、ハウジング１２２の組合う部分１４４は、ＰＣＢ１８の前方端に突き出る。組合う部分１４４は、頂部１５６および底部（図示せず）を有している。図３−８に示されるように、孔１８４は、好ましくは、頂部１５６に形成される。孔１８４は、それぞれ、関連する空洞１４５の前方端に隣接する。各孔１８４は、関連する電力接点１２４の角度のある接点ビーム３４ａ、３４ｂおよび直線の接点ビーム３６ａ、３６ｂの上に位置する、換言すれば、図５および６に示されるように、各孔８４は、関連する電力接点１２４の角度のある接点ビーム３４ａ、３４ｂおよび直線の接点ビーム３６ａ、３６ｂと、「ｙ」方向に、整列される。
【００４５】
孔１８４は、レセプタクルコネクタ１４の周りの周囲との流動性の流通状態に関連する空洞１４５を置く。好ましくは、各孔１８４の幅、または「ｘ」寸法は、図６に示されるように、関連する電力接点１２４の直線の接点ビーム３６ａ、３６ｂの結合した幅と同じか、より大きい。
【００４６】
図１０に示されるように、孔１８６は、好ましくは、組合う部分１４４の底部に形成される。この孔１８６は、それぞれ、関連する空洞１４５の前方端に隣接し、さらに、孔１８４とほぼ同一である。各孔１８６は、関連する電力接点１２４の、角度のある接点ビーム３４ａ、３４ｂ、および直線の接点ビーム３６ａ、３６ｂの下に位置する、換言すれば、各孔１８６は、図１０に示されるように、関連する電力接点１２４の角度のある接点ビーム３４ａ、３４ｂおよび直線の接点ビーム３６ａ、３６ｂと、「ｙ」方向に整列される。各孔１８６は、レセプタクルコネクタ１４の周りの周囲との流動性の流通状態に関連する空洞１４５を置く。
【００４７】
凹部１９２は、好ましくは、図３および４に示されるように、ハウジング１２２の主本体１４３の底部１７６に形成される。凹部１９２は、ほぼ縦に、または、側部１７８と空洞１７１との間のハウジング１２２の「ｘ」方向に延びる。他の凹部１９４は、好ましくは、図１および２に示されるように、側部１７７と空洞１７１との間で、底部１７６に形成される。この凹部１９４は、「ｘ」方向に凹部１９２とほぼ整列される。
【００４８】
凹部１９２、１９４は、それぞれ、レセプタクルコネクタ１４がそこに設置されるときに、ＰＣＢ１８に面する。凹部１９２、１９４、空洞１７１、およびＰＣＢ１８は、ハウジング１２２の全長、または、「ｘ」寸法を横切って延びる通路１９８を画定する。
【００４９】
プラグとレセプタクルコネクタ１２、１４とは、プラグコネクタ１２の空洞６４を備えたレセプタクルコネクタ１４の組合う部分１４４と整列することによって組合う。その後、組合う部分１４４が空洞６４に入り始めるまで、一方または、両方のプラグとレセプタクルコネクタ１２、１４とは、相互に向かって移動される。相互に向かうプラグとレセプタクルコネクタ１２、１４のさらなる移動は、プラグコネクタ１２の電力接点２４の角度のある接点ビーム３４ａ、３４ｂおよび直線の接点ビーム３６ａ、３６ｂのそれぞれを、レセプタクルコネクタ１４のハウジング１２２の関連する空洞１４５に入れる。
【００５０】
各関連する組の電力接点２４の直線の接点ビーム３６ａ、３６ｂは、図５および６に示されたように、続いて、電力接点１２４の関連する組の角度のある接点ビーム３４ａ、３４ｂの間の空間に入る。直線の接点ビーム３６ａ、３６ｂと角度のある接点ビーム３４ａ、３４ｂとの間の接点は、角度のある接点ビーム３６ａ、３６ｂを、外部方向、すなわち、直線の接点ビーム３４ａ、３４ｂから遠ざかる方向に、弾性的に偏位させる。電力接点１２４の角度のある接点ビーム３４ａ、３４ｂの弾性的偏位は、電力接点１２４の角度のある接点ビーム３４ａ、３４ｂと、電力接点１２４の直線の接点ビーム３４ａ、３４ｂとの間の接触力に結果として生じる。電力接点１２４の各関連する組の直線の接点ビーム３６ａ、３６ｂは、同様に電力接点２４の関連する組の角度のある接点ビーム３４ａ、３４ｂの間の空間に入る。角度のある接点ビーム３４ａ、３４ｂの結果として生じる偏位は、電力接点２４の角度のある接点ビーム３４ａ、３４ｂと、電力接点１２４の直線の接点ビーム３６ａ、３４ｂとの間の接触力に結果として生じる。
【００５１】
プラグとレセプタクルコネクタ１２、１４が完全に組合うときに、ＰＣＢ１６およびＰＣＢ１８の前方端は、ギャップによって離間して間隔を置かれる。このギャップは、図１、２、および９において参照符号「ｄ」によって表示されている。
【００５２】
ハウジング２２の孔８４およびハウジング１２２の孔１８４は、その結果    各孔８４が、図８に示されるように、ヘッダーとレセプタクルコネクタ１２、１４が完全に組合うときに、対応する孔１８４と一部重なり合うか、ほぼ整列されるように、位置決めされる。
【００５３】
ハウジング２２の孔８６およびハウジング１２２の孔１８６は、図１０に示されるように、ヘッダーとレセプタクルコネクタ１２、１４が完全に組合うときに、同様に、各孔８６が一部重なり合うか、または、対応する孔１８６とほぼ整列されるように、位置決めされる。
【００５４】
孔８４、８６、１８４、１８６は、ハウジング２２、１２２を通り、かつ電力接点２４、１２４を越えて、空気循環を促進する。この空気循環は、動作中、電力接点２４、１２４を冷却するのを支援することができる。
【００５５】
例えば、図１および２は、空気が、ヘッダーとレセプタクルコネクタ１２、１４を通って循環することができる１つの可能な方法を指定する矢印２００を有している。この特別なシナリオにおいては、１つまたはそれ以上の冷却ファン（図示せず）が、空気を下方へ、かつヘッダーとレセプタクルコネクタ１２、１４を越えて向けるために使用される。一部重なり合う孔８４、１８４は、比較的冷たい、下方へ流れる空気がそれぞれのハウジング２２、１２２の組合う部分４４、１４４に入ることを可能にする。組合う部分４４、１４４に入る空気は、組合う部分４４、１４４内における空気を置き換えることができ、それは、角度のある接点ビーム３４ａ、３４ａおよび比較的温かい電力接点２４、１２４の直線の接点ビーム３６ａ、３６ｂによって加熱されてきている。
【００５６】
下方の孔８６、１８６は、組合う部分４４、１４４内において、より冷たい入力空気によって、置き換えられた加熱された空気が、組合う部分４４、１４４を出ることができる。ＰＣＢ１６、１８の間のギャップ「ｄ」は、ヘッダーとレセプタクルコネクタ１２、１４の周りの周囲に自由に流入することができる。
【００５７】
熱エネルギーは、その空気が、下方に、かつ、角度のある接点ビーム３４ａ、３４ｂ、および直線の接点ビーム３６ａ、３６ｂを越えて、強制されるので、角度のある接点ビーム３４ａ、３４ｂ、および直線の接点ビーム３６ａ、３６ｂからの比較的冷たい空気に移動される。この対流伝熱は、空気を加熱する間に、角度のある接点ビーム３４ａ、３４ｂ、および直線の接点ビーム３６ａ、３６ｂを冷却する。この加熱空気は、今度は、下方に、かつ、組合う部分４４、１４４内の空気循環パターンを生じさせている一部重なり合った下方の孔８６、１８６を通って、強制される。この循環は、電力接点２４、１２４からの熱エネルギーを消散し、それによって、電力接点２４、１２４を冷却する。
【００５８】
孔８０、１８０は、さらに、動作中にそれぞれの電力接点２４、１２４の冷却を促進する。特に、この孔８０、１８０は、比較的冷たい空気が、電力接点２４、１２４の各本体部分３０ａ、３０ｂの頂部に衝突するために、下方に、かつ、ヘッダーとレセプタクルコネクタ１２、１４を越えて、強制されることを可能にする。本体部分３０ａ、３０ｂにおける比較的冷たい空気の衝突は、電力接点２４、１２４からの熱エネルギーを消散するのを助ける。
【００５９】
孔８２、１８２は、同様に、それぞれの電力接点２４、１２４の冷却を促進する。特に、孔８２、１８２は、比較的冷たい空気が、電力接点２４、１２４の各タブ４２の頂部において衝突するために、ヘッダーとレセプタクルコネクタ１２、１４を越えて下方に強制されること可能にする。タブ４２における比較的冷たい空気の衝突は、電力接点２４、１２４からの熱エネルギーを消散することを助ける。
【００６０】
ヘッダーとレセプタクルコネクタ１２、２４が組合うときに、各溝４８が関連する溝１４８とほぼ整列するように、それぞれのハウジング２２、１２２の溝４８、１４８は形成される。この配置は、電力接点２４、１２４の冷却を促進することができる。例えば、比較的冷たい空気は、１つまたはそれ以上の追加の冷却ファンによって、図１および２に表示されるように、「ｚ」方向に、ヘッダーとレセプタクルコネクタ１２、１４を越えて強制することができる。冷却する空気は、溝４８の後方端に入ることができる。各溝４８が、ハウジング１２２における対応する溝１４８とほぼ整列するので、冷却空気は、ヘッダーとレセプタクルコネクタ１２、１４の、結合した幅、または「ｚ」寸法全体を移動することができ、溝１４８の遠端経由でハウジング２２を出ることができる。
【００６１】
溝４８、１４８を介して強制される冷たい空気は、電力接点２４、１２４の比較的暖かい本体分部３０ａ、３０ｂを通過する。空気は、対流伝熱を介して本体部分３０ａ、３０ｂからの熱エネルギーを消散し、それによって冷やす。
【００６２】
上に議論されたように、凹部９２、９４、ハウジング２２に形成される空洞７１、およびＰＣＢ１６は、通路９８を画定する。この通路９８は、電力接点２４の冷却を促進することができる。特に、比較的冷たい空気は、図１に表示されるように、１つまたはそれ以上の追加の冷却ファンによって、「ｘ」方角に、通路９８内に、および通路を通して強制することができる。図２に示されるように、電力接点２４のＳ形部分３１および隣接する端子ピン３２は、部分的に通路９８内にある。通路９８を通って流れる空気は、Ｓ形部分３１を越え、かつその下側に、および、端子ピン３１間に流れることができる。比較的冷たい空気は、電力接点２４から対流熱移動を介して熱エネルギーを消散し、それによって、電力接点２４、１２４を冷却する。
【００６３】
上述したように、凹部１９２、１９４、ハウジング１２２に形成された空洞１７１、およびＰＣＢ１８は、通路１９８を画定する。この通路１９８は、通路９８に関して上述した方法で、レセプタクルコネクタ１４の電力接点１２４の冷却を促進することができる。
【００６４】
ヘッダーとレセプタクル接点１２、１４の上述された空気循環の特徴は、ヘッダーとレセプタクル接点１２、１４内の冷却空気の３次元の循環を促進する。
【００６５】
これらの特徴によって促進された電力接点２４、１２４の冷却は、電力接点２４、１２４が、そうでなければ可能であるより高い電流で作動することを可能にすることができる。特に、電力接点２４、１２４の最大電流定格は、電力接点２４、１２４において最大の受理可能な温度上昇によって制限されることができる。上述した空気循環の特徴のうちのいくつか、または、すべてによって促進された熱消散は、電力接点２４、１２４がより高い電流で作動することを、電力接点２４、１２４が冷却されない用途における経験と同じ温度上昇によって、可能にすることができる。したがって、電力接点２４、１２４の最大の定格電流は、ほぼその温度上昇を増加することなしに増加することができる。
【００６６】
上述の空気流パターン、および図に表示された空気流パターンは、実例となる目的のためだけに描かれている。ヘッダーとレセプタクルコネクタ１２、１４とを通り、かつその周りの空気流パターンは、パターンがここに記述し例証した、より複雑になり得る。さらに、ヘッダーとレセプタクルコネクタ１２、１４の方向づけが、図に表示されたものと異なるときには、その空気流パターンは変更することができる。
【００６７】
異なる空気流パターンは、ここに記述されたもの以外の方向から、ヘッダーとレセプタクルコネクタ１２、１４での冷却空気を向けることにより創成することができる。さらに、ヘッダーとレセプタクルコネクタ１２、１４は、強制空冷なしで作動することができ、このタイプの用途における熱消散は、主として自然対流によって達成することができる。
【００６８】
先の記述は、説明の目的で提供され、しかも発明を制限するものとして解釈されるべきではない。この発明は、好ましい実施例、または好ましい方法に関して記述されたが、ここに使用された語が、限定の語ではなく、記述と実例の語であることが理解される。さらに、この発明は、特別の構造、方法、および実施例に関してここに記述されたが、発明は、この発明が、付属された請求項の範囲内の全ての構造、方法、および用途まで及ぶので、ここに開示された詳細に限定されるようには意図されていない。この明細書の教示の利益を有する適切な技術に熟練している者は、ここに記述されるような発明に対する多数の修正を達成することができ、また、変更は、付属の請求項によって画定されるような発明の範囲および精神から逸脱することなく、行なうことができる。
【００６９】
例えば、図１３および１４は、コネクタ装置２１０の形状における他の実施例を描いている。このコネクタ装置２１０は、配線盤コネクタ装置として使用のために形成される。コネクタ装置２１０は、コネクタ装置１０に関して上述したヘッダーコネクタ１２を有することができる。コネクタ装置２１０は、さらにヘッダーコネクタ１２と組合う縦方向のレセプタクルコネクタ２１２を有することができる。ヘッダーコネクタ１２は、ドーターカード２１３に設置することができる。レセプタクルコネクタ２１２は、ドーターカード２１３にほぼ直角に方向づけられるマザーボード２１４に設置されることができる。
【００７０】
レセプタクルコネクタ２１２は、レセプタクルコネクタ２１２を通って、かつそのレセプタクルコネクタの周りで空気循環を促進するためのレセプタクルコネクタ１４に関して上述されたものに本質的に近似するか、または同一である特徴を有することができる。例えば、レセプタクルコネクタ２１２は、ヘッダーとレセプタクルコネクタ１２、２１２が組合うときに、ヘッダーコネクタ１２の組合う部分４３によって受入れられる組合う部分（図示せず）を備えたハウジング２１６を有することができる。このハウジング２１６の組合う部分は、その頂部および底部に形成された孔を有することができる。孔は、ヘッダーコネクタ１２の組合う部分４４に形成された孔８４、１８４と整列することができる。
【００７１】
レセプタクルコネクタ２１２のハウジング２１６は、そこに形成された１つまたはそれ以上の凹部２１８を有することができる。凹部２１８およびマザーボード２１４は、レセプタクルコネクタ１４およびＰＣＢ１８によって画定された通路１９８に関して上述した方法で、ハウジング２１６とマザーボード２１４の間の空気循環を促進する通路２２０を画定することができる。
【００７２】
図１５−２１は、ヘッダーコネクタ３００の形をしているヘッダーコネクタ１２の他の実施例を描いている。ヘッダーコネクタ３００は、そうでなければ注目された以外は、ヘッダーコネクタ１２とほぼ近似しているか、または同一であり得る。
【００７３】
ヘッダーコネクタ３００は、ハウジング３０１、短い電力接点３０２、および長い電力接点３０４を有する。短い電力接点３０２は、ハウジング３０１に形成された空洞３０６に受入れられる。長い電力接点３０４は、ハウジング３０１に形成された空洞３０８で受入れられる。
【００７４】
ハウジング３０１、短い電力接点３０２、および長い電力接点３０４は、不短い電力接点３０２が空洞３０８内に挿入されること、または、長い電力接点３０４が空洞３０６内に挿入されることを防止する分極化の特徴を有する。
【００７５】
特に、各空洞３０６、３０８は、そこに窓３１２を有する。各空洞３０６に関連した窓３１２は、図１５、１７および１８に示されるように、空洞３０６の下方端に隣接して配置される。各空洞３０８と関連したこの窓３１２は、空洞３０６の上方端に隣接して配置される。短い、および長い電力接点３０２、３０４は、それぞれ、図１６Ａおよび１６Ｂに示されるように、本体部材３１４ａ、３１４ｂを有する。短い、および長い電力接点３０２、３０４は、さらに各本体部材３１４ａ、３１４ｂの後方端縁に隣接して配置されたタブ３１６を有している。このタブ３１６は、本体部材３１４ａ、３１４ｂの主な表面にほぼ直角な方向に延びる。各短い電力接点３０２のタブ３１６は、その短い電力接点３０２の下方端に隣接して配置される。各長い電力接点３０４のタブ３１６は、長い電力接点３０４の上方端に隣接して配置される。
【００７６】
タブ３１６は、ハウジング３０１の窓３１２内に適合するように寸法どりされる。空洞３０６に関連した窓３１２、および各短い電力端子３０２のタブ３１６は、短い電力接点３０２のタブ３１６が、それぞれ整列するように、位置決めされ、さらに、短い電力接点３０２が、図１７に示されるように、空洞３０６内に挿入されるときに、空洞３０６の窓３１２の関連する１つによって受入れられる。
【００７７】
短い電力接点３０２のタブ３１６は、短い電力接点３０２のうちの１つを空洞３０８のうちの１つに挿入する試みがなされるときには、空洞３０８に関連した窓３１２と整列されない。むしろ、図１８および１９に示されるように、タブ３１６とハウジング３０１との間の干渉は、短い電力接点３０２が空洞３０８内に進むことを防止する。
【００７８】
長い電力接点３０４のタブ３１６が整列し、さらに、図１７に示されるように、長い電力接点３０４が空洞３０８内に挿入されるときに、空洞３０８の窓３１２によって受入れられるように、空洞３０８に関連した窓３１２、および個々の長い電力接点３０４のタブ３１６は、同様に位置決めされる。
【００７９】
長い電力接点３０４のタブ３１６は、空洞３０６のうちの１つに長い電力接点３０４のうちの１つを挿入する試みがなされるときに、空洞３０６に関連した窓３１２とは整列しない。むしろ、図１８および１９に示されるように、タブ３１６とハウジング３０１との間の干渉は、長い電力接点３０４が空洞３０６内に進むのを防止する。
【００８０】
短かい、および長い電力接点３０２、３０４の本体部材３１４ａ、３１４ｂは、それぞれ図１６Ａ、１６Ｂ、２０、および２１に示されるように、それぞれタブ３２８を有する。短い、および長い電力接点３０２、３０４が完全にハウジング３０１内に完全に挿入されるときに、タブ３２８は、干渉するように（interferedly）ハウジング３０１と係合する。タブ３２８とハウジング３０１との間の干渉は、ハウジング３０１内に、短い、および長い電力接点３０２、３０４を保持することを助ける。ハウジング３０１は、本体部材３１４ａ、３１４ｂが、ハウジング３０１内に挿入されるので、その最終位置にタブ３２８を案内するのを助ける傾斜（ramp）３０３を有している。
【００８１】
長い電力接点３０４とハウジング３０１のタブ３１６との間の上記の注記した干渉は、長い電力接点３０４が空洞３０６内に不注意で（inadvertently）搭載されるときに、長い電力接点３０４が干渉的にハウジング３０１の関連する傾斜３０３と係合するために、関連するタブ３２８用の空洞３０６内に十分に遠くに進むことを防止することができる。短い電力接点３０２とハウジングの３０１とのタブ３１６間の上記の注記した干渉は、短い電力接点３０２が空洞３０８内に不注意で搭載されるときに、同様に、短い電力接点３０２が、干渉的に関連する傾斜３０３と係合するように、関連するタブ３２８用の空洞３０８内に十分に遠くに進むことを防止することができる。
【００８２】
図１６Ａおよび１６Ｂに示されるように、個々の短い、および長い電力接点３０２、３０４の第２の半片３１４ｂは、２つの円筒上突出部３５０を有することができる。個々の短い、および長い電力接点３０２、３０４の第１の半片３１４ａは、それぞれその突出部３５０のうちの１つを受入れる２つの円孔３５２を有することができる。短い電力接点３０２における突出部３５０と孔３５２との２つの組の相対的位置は、長い電力接点３０４における突出部３５０と孔３５２の２つの組の相対的位置と異なることができる。突出部３５０と孔３５２とは、このように、短い電力接点３０２の第１の半片が長い電力接点３０４の第２の半片と不注意に組合うことを、その逆についても、防止する分極化の特徴として作用することができる。
【００８３】
突出部３５０と孔３５２とは、他の実施例において、円筒状および円状である以外のそれぞれの形状を有することができる。さらに、突出部３５０と孔３５２とは、それぞれ他の実施例における短い電力接点と長い電力接点３０２、３０４との第１および第２の半片３２３ａ、３２３ｂに位置することができる。
【００８４】
図２２A〜２４は、短い電力接点３０２および長い電力接点３２２の形状において短い、および長い電力接点３０２、３０４の他の実施例を描いている。短い、および長い電力接点３２０、３２２が、短い、および長い電力接点３２０、３２２の関連する本体部材３２３ａ、３２３ｂから外方および下方に角度を有するタブ３２４を有するということを除いては、短い、および長い電力接点３２０、３２２は、構造的な、かつ機能的な観点から、それぞれの、短い、および長い電力接点３０２、３０４にほぼ近似している。
【図面の簡単な説明】
【００８５】
付属された線図とともに読まれたときに、好ましい実施例の次の詳述と同様に、先行の要約も、一層よく理解される。この発明を例証する目的で、図面は、現在好ましい実施例を示している。しかしながら、その発明は、図面に示された特定の手段に制限されていない。図面において、
【図１】完全に組合った状態におけるヘッダーコネクタを描くコネクタ装置およびコネクタ装置のレセプタクルコネクタの好ましい実施例の平面斜視図である。
【図２】完全に組合った状態におけるヘッダーコネクタおよびレセプタクルコネクタを描いている、図１に示されるコネクタ装置の側面図である。
【図３】組合っていない状態におけるヘッダーコネクタおよびレセプタクルコネクタを描いている、図１および２に示されるコネクタ装置の平面斜視図である。
【図４】組合っていない状態におけるヘッダーコネクタおよびレセプタクルコネクタを描いている、図１−３に示されるコネクタ装置の平面斜視図である。
【図５】部分的に組合った状態におけるヘッダーコネクタおよびレセプタクルコネクタを描いている、図１−４に示されるコネクタ装置の平面図である。
【図６】図５における「Ａ」と示された領域の拡大された部分的な断面図である。
【図７】完全に組合った状態におけるヘッダーコネクタおよびレセプタクルコネクタを描いている、図１−６に示されるコネクタ装置の平面図である。
【図８】図７における「Ｂ」と示された領域の拡大された部分的な断面図である。
【図９】完全に組合った状態におけるヘッダーコネクタおよびレセプタクルコネクタを描いている、図１−８に示されるコネクタ装置の底面斜視図である。
【図１０】図９における「Ｃ」と示された領域の拡大図である。
【図１１】図１−１０に示されるヘッダーコネクタの電力接点の斜視図である。
【図１２】図１−１０に示されるヘッダーコネクタの電力接点の斜視図である。
【図１３】完全に組合った状態におけるコネクタ装置のヘッダーコネクタおよびレセプタクルコネクタを描いている、図１−１２に示されるコネクタ装置の他の実施例の平面斜視図である。
【図１４】完全に組合った状態におけるコネクタ装置のヘッダーコネクタおよびレセプタクルコネクタを描いている、図１３に示される底部斜視図である。
【図１５】図１−１２に示されるコネクタ装置の別の他の実施例のハウジングの背面斜視図である。
【図１６Ａ】図１５に示されるコネクタ装置の長い電力接点の背面斜視図である。
【図１６Ｂ】図１５に示されるコネクタ装置の短い電力接点の背面斜視図である。
【図１７】ハウジングにおける関連する空洞に正確に設置された短い、および、長い電力接点の１つを描いている、図１５−１６Ｂに示されるコネクタ装置の背面図である。
【図１８】ハウジングにおける関連する空洞に、間違って、正確に設置された短い電力接点の１つ、および、長い電力接点の１つを描いている、図１５−１７に示されるコネクタ装置の背面図である。
【図１９】ハウジングにおける関連する空洞に、間違って、正確に設置された短い電力接点の１つ、および、長い電力接点の１つを描いている、図１５−１８に示されるコネクタ装置の平面図である。
【図２０】図１７の「Ｄ−Ｄ」線を通って得られた図１５−１９に示されるコネクタ装置の断面図である。
【図２１】図２０における「Ｅ」と示された領域の拡大図である。
【図２２Ａ】図１−１２に示されるコネクタ装置の別の他の実施例の長い電力接点の斜視図である。
【図２２Ｂ】図１−１２に示されるコネクタ装置の別の他の実施例の短い電力接点の斜視図である。
【図２３】コネクタ装置のハウジングにおける関連する空洞に正確に設置された短い、および長い電力接点を描いている、図１５−１６Ｂに示されるコネクタ装置の背面図である。
【図２４】ハウジングにおける関連する空洞に設置され、間違って、正確に設置された短い電力接点の１つ、および、長い電力接点の１つを描いている、図２２Ａ−２３に示されるコネクタ装置の背面図である。
【図１】
2009540527.tif 000003
【図２】
2009540527.tif 000004
【図３】
2009540527.tif 000005
【図４】
2009540527.tif 000006
【図５】
2009540527.tif 000007
【図６】
2009540527.tif 000008
【図７】
2009540527.tif 000009
【図８】
2009540527.tif 000010
【図９】
2009540527.tif 000011
【図１０】
2009540527.tif 000012
【図１１】
2009540527.tif 000013
【図１２】
2009540527.tif 000014
【図１３】
2009540527.tif 000015
【図１４】
2009540527.tif 000016
【図１５】
2009540527.tif 000017
【図１６Ａ】
2009540527.tif 000018
【図１６Ｂ】
2009540527.tif 000019
【図１７】
2009540527.tif 000020
【図１８】
2009540527.tif 000021
【図１９】
2009540527.tif 000022
【図２０】
2009540527.tif 000023
【図２１】
2009540527.tif 000024
【図２２Ａ】
2009540527.tif 000025
【図２２Ｂ】
2009540527.tif 000026
【図２３】
2009540527.tif 000027
【図２４】
2009540527.tif 000028
【国際調査報告】
2009540527.tif 000029